(57)【要約】【課題】動吸振機構を備えた光ディスク装置で８０００rpmを越える高速回転域ではサブベースに取り付けられたサブダンパに関し、その数量や形状を工夫し、かつゴム硬度をますます上げるとともにディスクの厚さ方向の振動を抑制する必要があった。【解決手段】トラバースベース６上の動吸振機構に関し、トラバーベース６に主サブダンパ１０ａとねじ１１を介して支持され、光ディスクの回転によるトラバースベース６の振動を吸収する動吸振用のサブベース９を備え、主サブダンパ１０ａのほかに、ねじ１１で固定保持せずに単に嵌挿するだけで構成されて光ディスクの厚さ方向の振動を吸収する補助サブダンパ１０ｂを有する。【選択図】図１
2007172785.tif 000002
【特許請求の範囲】
【請求項１】
シャーシと、このシャーシにメインダンパを介して支持されたベースと、このベースに保持されてディスクを駆動するディスクモータと、前記ベースにサブダンパを介して支持され前記ディスクの回転による前記ベースの振動を吸収する動吸振子とを備え、
前記サブダンパは、前記ディスクの厚さ方向の振動を主に吸収する補助サブダンパを有するディスク装置。
【請求項２】
サブダンパは、主サブダンパと補助サブダンパとを有し、前記主サブダンパは動吸振子に形成された第１の穴に嵌挿されてベースに当接する複数の弾性体と、これらの弾性体を前記ベースに取付けるねじとからなり、
前記補助サブダンパは、前記動吸振子に形成された第２の穴に嵌挿されて前記ベースに当接する１または複数の弾性体からなる請求項１記載のディスク装置。
【発明の詳細な説明】
【技術分野】
【０００１】
本発明は、音響機器、映像機器、情報機器などにおいて、特にＣＤ、ＣＤ−ＲＯＭ、ＤＶＤ、ＤＶＤ−ＲＯＭ、ＢＤなどの光ディスク、光磁気ディスク、大容量ＦＤなどの光学ディスクメディア等を利用したディスク装置の内部振動および外部振動を抑制できるダイナミックダンパを有するディスク装置に関するものである。
【背景技術】
【０００２】
従来、一般的な光ディスク装置としては、図６に示すようにディスクモータ５およびピックアップ３などを組付けたトラバースベース６を、ピン８で固定した弾性体からなる防振ゴム（メインダンパ）７を介してシャーシ２に取付けている。従来の光ディスク装置は弾性体からなる防振ゴムとして、特に低硬度の弾性体を用いることにより外部振動に対して効果的に低減できた。１は光ディスクである。
【０００３】
一方、かかる防振ゴムで外部振動に対しては効果的に低減できたが、アンバランスを持つ偏重心ディスクを使用した時に生じる大きな内部振動に対しては効果的な低減が得られなかった。そのため図７および図８に示すように、トラバースベース６の上にサブベース９とサブダンパ１０をねじ１１で固定保持していわゆる動吸振機構として内部振動を低減していた。なお図中４ａ、４ｂはピックアップ３のガイドシャフトである。
【０００４】
また、一般にこのサブダンパ１０はディスク回転数以上になる共振周波数を備えた高硬度の弾性体を用いていた。
【０００５】
ここで、図９（ａ）に、アンバランス0.3gcmを持ったディスクを回転させた時のディスクの回転数とトラバースベースの振動加速度についてＴｒ（Tracking）、Ｔａｎ（Tangential）、Ｆｏ（Focus）の3方向の関係を示す。Ｆｏはディスクの厚さ方向=上下方向、ＴｒとＴａｎは厚さ方向に垂直となる平面に沿う方向となる水平方向でそれぞれ、Ｔｒはディスクの半径方向、Ｔａｎはディスクの円周方向を示している。この図によれば、実用回転数８０００ｒｐｍまでは振動が抑えられているが、それを超えると振動加速度が急に大きくなることが分かる。
【０００６】
一方、図１０（ａ）に示すように、サブベース９は穴９ａにサブダンパ１０を嵌挿し、ダンパ固定ねじ１１でトラバースベースに取付けているが、図１０（ｂ）に示すようにサブダンパ１０のダンパ固定ねじ１１のピン径を大きくしかつ締め付け力を大きくするなどして、サブダンパ１０の図示矢印方向の圧縮ひずみを増すことで、共振周波数を一様に上げた場合においては、図９（ｂ）に示すように１００００ｒｐｍまで水平方向の振動加速度は落ちてきたが、９０００ｒｐｍ付近の上下方向の振動加速度が大きいため、ディスクの水平方向の共振周波数ではなく、上下方向の共振周波数を高域に変化させる必要があった。
【０００７】
また従来、ディスクの高速回転に伴う振動を抑制する手段として、動吸振器のダンパの等価剛性を増減自在に変化するもの、収弾性部とバサンス板部とが一体化したもの、共振倍率を特定したものなどがあった（特許文献１〜３参照）。
【０００８】
しかしながら、上記のようにディスクの平面に沿う方向と厚さ方向の共振周波数の変化に差異を生じるという知見に基づいて、ディスクの平面に沿う方向ではなく、厚さ方向の共振周波数を高域に変化させる必要性を開示したものはない。
【特許文献１】特開２００１−２５６７６２
【特許文献２】特開２００１−３５５６７０
【特許文献３】特開２００４−１３４０４５
【発明の開示】
【発明が解決しようとする課題】
【０００９】
昨今ではダビング用途の拡大などで使用する光ディスクの回転数が上昇してきているため、このサブダンパ１０の硬度についても自らの共振周波数をその使用回転数以上に上げなければならなくなった。そのために上記のようにダンパの数量や形状を工夫したり、ゴム硬度をますます上げたりする方法が必要であった。
【００１０】
しかしながら、これらの手段で共振周波数は確かに上昇するが、９０００ｒｐｍ以上の回転数になるとその上昇の仕方には水平２方向と上下方向とで上記のように差異が生じてきた。特にサブダンパ１０の数量をそのまま増やすと共振周波数は上下方向だけでなく水平方向にも上昇してしまい、すべての方向におけるトラバースベースの振動加速度を抑えることができないという問題点があった。
【００１１】
したがって、本発明の目的は、すべての方向におけるトラバースベースの振動加速度を抑えることができるディスク装置を提供することである。
【課題を解決するための手段】
【００１２】
本発明のディスク装置は、シャーシと、このシャーシにメインダンパを介して支持されたベースと、このベースに保持されてディスクを駆動するディスクモータと、ベースにサブダンパを介して支持されディスクの回転によるベースの振動を吸収する動吸振子とを備え、
サブダンパは、ディスクの厚さ方向の振動を主に吸収する補助サブダンパを有するものである。
【００１３】
上記構成において、サブダンパは、主サブダンパと補助サブダンパを有し、主サブダンパは動吸振子に形成された第１の穴に嵌挿されてベースに当接する複数の弾性体と、これらの弾性体をベースに取付けるねじとからなり、
補助サブダンパは、動吸振子に形成された第２の穴に嵌挿されてベースに当接する１または複数の弾性体からなる。
【発明の効果】
【００１４】
本発明のディスク装置によれば、サブダンパがディスクの厚さ方向の振動を主に吸収する補助サブダンパを有するため、ディスクの９０００ｒｐｍ以上の回転数におけるディスクの厚さ方向の振動加速度を抑えることができ、それによってディスクの最大使用回転数以上の共振周波数の上昇をディスクの表面に沿う方向より厚さ方向に大きくすることができる。このため、ディスクの表面に沿う方向および厚さ方向のすべての方向において共振周波数を同等レベルに上昇させることができ、アンバランスを備えた偏重心ディスクの使用時の内部振動の低減を効果的に可能とする光ディスク装置を実現することができる。
【００１５】
補助サブダンパは、動吸振子に形成された穴に嵌挿された構成のため、ねじを追加することなく弾性体の追加だけで動吸振子の重量バランスの安定化をはかれ、またねじ固定しないことで弾性体の追加による水平方向の共振周波数の高周波側への変化量に比べ、上下方向の共振周波数の変化量をより大きくすることができる。その結果、トラバースベースの振動を効果的に低減できる高倍速対応光ディスク装置を実現できるものである。
【発明を実施するための最良の形態】
【００１６】
以下、本発明の一実施の形態を、図１から図５を参照しながら説明する。
【００１７】
図１は、振動低減機能を効果的に担うサブダンパを備えた動吸振機構を配置した光ディスク装置の構成図であり、（ａ）は概略平面図、（ｂ）は詳細平面図である。図２（ａ）はその斜視図、図２（ｂ）はその部分斜視図、図３は図２（ａ）の分解斜視図である。図４はサブダンパを示し、（ａ）は平面図、（ｂ）は断面図、（ｃ）は斜視図である。図５には本実施の形態による効果がわかる光ディスクの回転数とトラバースベースの振動状態のグラフを示している。
【００１８】
図１において、３は光ディスクの記録面にレーザを照射して信号を記録したり反射光により光ディスクの信号を読み取るピックアップ、５は光ディスクを回転させるディスクモータである。４a、４bはそれぞれピックアップ3をドライブの前後方向すなわちディスクモータ５の半径方向にガイドするガイドシャフト、４ｃはピックアップ５をガイドシャフト４ａ、４ｂに沿って移動させるトラバース送り機構のモータである。６は上記部品を支持するトラバースベースである。
【００１９】
トラバースベース６は４つのメインダンパ７を介してピン８でシャーシ２（図２参照）に固定されている。各メインダンパ７は、例えば外周に周溝のある筒状の防振ゴムなどの弾性体を用い、トラバースベース６の穴６ｃにその周溝が穴縁部に嵌合するように嵌挿している。ねじを用いたピン８はシャーシ２のメインダンパ７に挿入される突起の先端に形成したねじ孔２ａにねじ込まれ、ねじの頭部でメインダンパ７を押さえている。
【００２０】
動吸振子を構成するサブベース９たとえばサブプレートは、３つの主サブダンパ１０ａでねじ１１によりトラバースベース６につながれているが、１つの補助サブダンパ１０ｂはねじ１１で固定されてなく、サブベース９に嵌挿されているだけの状態である。詳しくは図３に示すようにサブベース９に形成した切欠き状の穴９ａの縁部に主サブダンパ１０ａ例えば図１０と同じ形状の筒状の防振ゴムなどの弾性体の外周の周溝を嵌挿し、ねじ１１を中心に通してトラバースベース６のねじ孔６ａにねじ込み、ねじ１１の頭部で主サブダンパ１０ａを押さえて締めつけ固定する。補助サブダンパ１０ｂは主サブダンパ１０ａと同じ弾性体を用いて、その周溝をサブベース９に形成した穴９ｂの縁部に嵌挿している。トラバースベース６とサブベース９の相互間隔はねじ１１の締めつけによって決まるので、補助サブダンパ１０ｂのトラバースベース６とサブベース９の間の部分は主サブダンパ１０ａと同じ程度に圧縮されている。
【００２１】
図４は主サブダンパ１０ａの一例の詳細図である。補助サブダンパ１０ｂも主サブダンパ１０ａと同形状である。この主サブダンパ１０ａは筒状の弾性体であって、外周に穴９ａまたは９ｂの縁部に嵌合する周溝１５を形成し、両端面に例えば８個の四角形状の突起１６を等間隔で円周方向に並ぶように突設し、突起１６の角は曲面に形成し、弾性体の一端面の突起１６の先端面がトラバースベース６に接触する。また内周面の軸方向の中心で内周面の周方向は突起１６と同じ位置に略球面状の突起１７を形成し、突起１７にはねじ１１の外周面が当接する。
【００２２】
ここにアンバランスをもつ偏重心ディスクをディスクモータ５上に載置し図示しないクランパではさんでディスクモータ５を駆動することにより回転させると、回転エネルギとしては回転数の二乗の割合で上下方向・水平方向に振動を起こし、ディスク装置自体を振動させる。図５（ａ）、（ｂ）は、本実施の形態によるアンバランス0.3gcmを持ったディスクを使用した時のトラバースベース６の振動加速度を示す。図５（ａ）では問題になっていた９０００ｒｐｍ付近の上下方向の振動加速度が低減された効果を示している。図５（ｂ）は、水平2方向も含めた3方向の振動状態を示す。水平２方向についても従来構成より大きく低減していることがわかる。
【００２３】
図５の結果は、補助サブダンパ１０ｂを追加したことによるものであることは明らかである。この補助サブダンパ１０ｂはねじ固定しないことで、水平方向の共振周波数の上昇より上下方向の共振周波数の上昇変化量を大きくすることができる作用をなし、その結果部品点数を不必要に増加させること無く、効果的に全方向のトラバースベースの振動を抑えることができている。
【００２４】
なお、本発明において、主サブダンパと補助サブダンパは同じ形状および材料の弾性体を用いたが、別の形状および材料の弾性体を用いてもよい。また補助サブダンパはサブベース９の穴９ｂに嵌挿されたが、トラバースベース６に形成した穴に嵌挿してもよい。
【００２５】
また、本発明において、補助サブダンパはディスクの厚さ方向の振動を主に吸収するものであればよく、例えば厚さ方向以外の振動吸収はゼロである必要はない。
【００２６】
さらに、ディスクはベースに平行に限らず、例えば傾いた場合でもよい。
【００２７】
また、補助サブダンパは１個であったが、２個以上であってもよい。
【産業上の利用可能性】
【００２８】
本発明のディスク装置は、光ディスクを８０００ｒｐｍ以上の高速で回転させ記録再生を実施する際のトラバースベースの振動を効果的に低減できる効果を有し、ディスク装置に生ずる内部振動を低減する機構として有用である。
【図面の簡単な説明】
【００２９】
【図１】本発明の一実施の形態における光ディスク装置を示し、（ａ）は部品の配置を示す概略平面図、（ｂ）はその詳細平面図である。
【図２】（ａ）は光ディスク装置の斜視図、（ｂ）はその部分斜視図である。
【図３】分解斜視図である。
【図４】サブダンパの詳細を示し、（ａ）は平面図、（ｂ）はそのＡ−Ａ線断面図、（ｃ）は斜視図である。
【図５】本発明の一実施の形態におけるディスク回転数とトラバースベースの振動加速度の関係図であり、（ａ）は厚さ方向の振動についての従来例と実施の形態のグラフ、（ｂ）は３方向の振動についてのグラフである。
【図６】従来のダンパを備えた光ディスク装置の概略分解斜視図である。
【図７】従来の動吸振機構を備えた光ディスク装置の詳細な斜視図である。
【図８】分解斜視図である。
【図９】従来の動吸振機構を備えた光ディスク装置の回転数とトラバースベースの振動加速度の関係図である。
【図１０】従来の動吸振機構を備えた光ディスク装置において、（ａ）はサブダンパの使用状態の断面図、（ｂ）はピン径を大きくし締めつけを強くしてサブダンパの圧縮ひずみを増した時の断面図である。
【符号の説明】
【００３０】
１・・・光ディスク
２・・・シャーシ
３・・・光ピックアップ
４ａ、４ｂ・・・ガイドシャフト
５・・・ディスクモータ
６・・・トラバースベース
６ｃ・・・穴
７・・・メインダンパ
８・・・ピン
９・・・サブベース
９ａ・・・穴
９ｂ・・・穴
１０a・・・主サブダンパ
１０b・・・補助サブダンパ
１１・・・ねじ
【図１】
2007172785.tif 000003
【図２】
2007172785.tif 000004
【図３】
2007172785.tif 000005
【図４】
2007172785.tif 000006
【図５】
2007172785.tif 000007
【図６】
2007172785.tif 000008
【図７】
2007172785.tif 000009
【図８】
2007172785.tif 000010
【図９】
2007172785.tif 000011
【図１０】
2007172785.tif 000012